(57)【特許請求の範囲】
【請求項１】
患者を受け付ける位置に設置された受付入力手段と、この受付入力手段と接続されかつ患者の撮影部位の放射線画像を読み取るための複数の放射線画像読取装置とを備え、
放射線画像の読み取りを行う前記各放射線画像読取装置に前記受付入力手段から入力された患者の登録情報がそれぞれ送信され、その後、その送信された登録情報がキャンセルされたときに、その登録情報を受信した放射線画像読取装置にそのキャンセル情報が送信されるとともに、別の放射線画像読取装置にそのキャンセルされた登録情報が再送信されることを特徴とする放射線画像読取システム。
【請求項２】
前記キャンセル情報及び前記キャンセルされた登録情報が前記受付入力手段から送信される請求項１記載の放射線画像読取システム。
【請求項３】
前記登録情報を前記各放射線画像読取装置においてキャンセルできる請求項１または２記載の放射線画像読取システム。
【請求項４】
前記受付入力手段が表示部を備え、前記キャンセル情報が前記放射線画像読取装置から前記受付入力手段に送信されるとともに前記表示部に表示され、前記受付入力手段からそのキャンセルされた登録情報を別の放射線画像読取装置に送信する請求項３記載の放射線画像読取システム。
【請求項５】
患者の登録情報を表示する表示部を有しかつ患者の撮影部位の放射線画像を読み取るための複数の放射線画像読取装置を備え、
前記各放射線画像読取装置の表示部に前記複数の放射線画像読取装置の登録情報を表示することができ、
一の放射線画像読取装置から他の放射線画像読取装置の前記登録情報をキャンセルでき、前記キャンセルされた登録情報がキャンセルしたその放射線画像読取装置から別の放射線画像読取装置に送信されることを特徴とする放射線画像読取システム。
【請求項６】
前記各放射線画像読取装置は半導体Ｘ線検出素子に蓄積記録された放射線画像を読み取る請求項１〜５のいずれか一項に記載の放射線画像読取システム。
【請求項７】
前記各放射線画像読取装置は半導体Ｘ線検出素子に放射線画像を蓄積記録する放射線画像撮影装置としての機能を有する請求項１〜６のいずれか一項に記載の放射線画像読取システム。
【請求項８】
前記登録情報が、患者の識別情報を含み、更に患者の撮影部位、撮影方法及び撮影した記録媒体のサイズのうちの少なくとも１つを含む請求項１〜７のいずれか一項に記載の放射線画像撮影読取システム。
【請求項９】
前記登録情報を記憶する記憶手段を更に備える請求項１〜９のいずれか一項に記載の放射線画像撮影読取システム。
【請求項１０】
患者を受け付ける位置に設置された受付入力手段に受付情報を入力するステップと、
放射線画像の読み取りを行う複数の各放射線画像読取装置に前記受付入力手段から入力された患者の登録情報を送信するステップと、
その送信された登録情報がキャンセルされたとき、その登録情報を受信した放射線画像読取装置にそのキャンセル情報を送信するステップと、
そのキャンセルされた登録情報を別の放射線画像読取装置に再送信するステップと、を含む放射線画像読取方法。
【請求項１１】
前記キャンセル情報及び前記キャンセルされた登録情報を前記受付入力手段から送信する請求項１０記載の放射線画像読取方法。
【請求項１２】
前記登録情報を前記各放射線画像読取装置においてキャンセルする請求項１０または１１記載の放射線画像読取方法。
【発明の詳細な説明】
【０００１】
【発明の属する技術分野】
本発明は、病院等において診断等のために患者に対して撮影を行って得られる放射線画像の読み取りを行う放射線画像読取システム、及び放射線画像読取方法に関するものである。
【０００２】
【従来の技術】
従来から、病院等の医療機関において患者の特定部位へ放射線の照射を行い半導体Ｘ線検出素子や輝尽性蛍光体に画像情報を記録する放射線画像撮影装置及びその画像情報を読み取るための放射線画像読取装置が知られている。患者数の多い総合病院等では、かかる放射線画像撮影装置及び放射線画像読取装置を多数設置し、患者に対し放射線画像の撮影を行い、その後直ちに撮影した放射線画像の読み取りを行っている。
【０００３】
上述のような装置を複数設置した場合、各装置のメンテナンスや故障または撮影技師の都合等の諸事情により、各装置でいったん受け付けた患者の放射線画像の撮影や放射線画像の読み取りを取り止めて、他の装置で撮影や読み取りを行う必要が生じる場合がある。このような場合に、放射線画像の撮影や読み取りを行う装置が他の装置へ円滑に変更されないと、例えば患者数の多い病院等では混乱が生じ易くなる。また、かかる混乱が頻繁に起こると、放射線画像による診断にも影響がでるおそれもあり、好ましくない。
【０００４】
【発明が解決しようとする課題】
本発明の目的は、複数の放射線画像読取装置を設置した場合に、各装置がいったん受け付けた患者の放射線画像の撮影や読み取りを行わなくなった場合でも、放射線画像を読みとるための装置を他の装置に円滑に、さらには簡単に変更することのできる放射線画像読取システム及び放射線画像撮影読取方法を提供することである。
【０００５】
【課題を解決するための手段】
上記目的を達成するため、本発明の放射線画像読取システムは、患者を受け付ける位置に設置された受付入力手段と、この受付入力手段と接続されかつ患者の撮影部位の放射線画像を読み取るための複数の放射線画像読取装置とを備え、放射線画像の読み取りを行う前記各放射線画像読取装置に前記受付入力手段から入力された患者の登録情報がそれぞれ送信され、その後、その送信された登録情報がキャンセルされたときに、その登録情報を受信した放射線画像読取装置にそのキャンセル情報が送信されるとともに、別の放射線画像読取装置にそのキャンセルされた登録情報が再送信されることを特徴とする。
【０００６】
本発明によれば、ある放射線画像読取装置で放射線画像の読み取りを行わなくなった場合にはキャンセル情報が送信され、別の放射線画像読取装置にそのキャンセルされた登録情報が再送信されるので、放射線画像を読み取るための装置を他の装置に簡単に変更することができ、放射線画像の読み取りを円滑に続行することができる。さらに、その放射線画像読取装置から登録情報を消去すれば、複数の読取装置で同一の登録情報に基づく読み取りを行う等の混乱を低減できる。
【０００７】
また、前記キャンセル情報及び前記キャンセルされた登録情報が前記受付入力手段から送信されるように構成できる。これにより、受付で放射線画像読取装置の変更を一元的に管理でき、放射線画像を読み取るための装置の変更をより円滑に行うことができる。
【０００８】
また、前記登録情報を前記各放射線画像読取装置においてキャンセルできるように構成することにより、例えば、何らかの事情によりその放射線画像読取装置で放射線画像の読み取りを行うことができなくなった場合等に、装置側においてキャンセルすることが可能となり、装置の使用上便利である。
【０００９】
この場合、前記受付入力手段が表示部を備え、前記キャンセル情報が前記放射線画像読取装置から前記受付入力手段に送信されるとともに前記表示部に表示され、前記受付入力手段からそのキャンセルされた登録情報を別の放射線画像読取装置に送信するようにできる。
【００１０】
また、本発明の別の放射線画像読取システムは、患者の登録情報を表示する表示部を有しかつ患者の撮影部位の放射線画像を読み取るための複数の放射線画像読取装置を備え、前記各放射線画像読取装置の表示部に前記複数の放射線画像読取装置の登録情報を表示することができ、一の放射線画像読取装置から他の放射線画像読取装置の前記登録情報をキャンセルでき、前記キャンセルされた登録情報がキャンセルしたその放射線画像読取装置から別の放射線画像読取装置に送信されることを特徴とする。
【００１１】
本発明によれば、各放射線画像読取装置の表示部に他の読取装置の登録情報を表示し、一の放射線画像読取装置から他の放射線画像読取装置の登録情報をキャンセルした場合、キャンセルされた登録情報が別の放射線画像読取装置に送信されるので、装置側で登録情報をキャンセルできるとともに、放射線画像を読み取るための装置を別の装置に変更できる。このように、放射線画像の読み取りを行う装置を他の装置に簡単に変更することができ、放射線画像の読み取りを円滑に続行することができる。
【００１２】
言い換えれば、各放射線画像読取装置の表示部に、他の読取装置で読み取られるであろう画像に関する登録情報に基づく情報を見ることが可能である。そのため、他の装置が混んでいる時には、混んでいる装置の情報をキャンセルし、その登録情報を受信する等ができる。これを放射線画像読取システム全体に適用し、全システムの装置の登録情報を表示するようにすれば、システム全体で効率のよい読み取りを行うことができる。
【００１３】
また、前記各放射線画像読取装置は半導体Ｘ線検出素子に蓄積記録された放射線画像を読み取るように構成できる。
【００１４】
また、前記各放射線画像読取装置は半導体Ｘ線検出素子に放射線画像を記録する放射線画像撮影装置としての機能を有することにより、放射線画像撮影時においても上述のような他の装置への変更を円滑に簡単に行なうことができ、かかる機能を備えた放射線画像撮影読取システムを構成できる。
【００１５】
また、前記登録情報が、患者の識別情報を含み、更に患者の撮影部位、撮影方法及び撮影した記録媒体のサイズのうちの少なくとも１つを含むようにできる。これにより、各装置が患者の識別情報を得ることができ、更に撮影情報を得ることができる。そして、この識別情報に基づいて放射線画像読み取り時に画像情報を識別することができる。これにより、変更先の装置を登録情報の内容に応じた最適な装置とする等の工夫が可能となる。
【００１６】
また、前記登録情報を記憶する記憶手段を更に備えるようにできる。これにより、登録情報を記憶させておき、必要なときにこの記憶手段から送信したり、あるいは受付入力手段や各装置がアクセスすることにより必要な登録情報を得ることができる。記憶手段は、サーバ等の比較的大きい記憶容量のものをシステム全体に備えさせることにより、集中的に管理でき、情報管理は簡単となり、また、ハードディスク等の記憶部を受付入力手段や各装置に分散してそれぞれ備えさせてもよい。
【００１７】
また、本発明の放射線画像読取方法は、患者を受け付ける位置に設置された受付入力手段に受付情報を入力するステップと、放射線画像の読み取りを行う複数の各放射線画像読取装置に前記受付入力手段から入力された患者の登録情報を送信するステップと、その送信された登録情報がキャンセルされたとき、その登録情報を受信した放射線画像読取装置にそのキャンセル情報を送信するステップと、そのキャンセルされた登録情報を別の放射線画像読取装置に再送信するステップとを含む。これにより、放射線画像の読み取りを他の装置に簡単に変更することができ、放射線画像の読み取りを円滑に続行することができる。
【００１８】
また、前記キャンセル情報及び前記キャンセルされた登録情報を前記受付入力手段から送信することにより、受付で放射線画像読取装置の変更を一元的に管理でき、変更をより円滑に行うことができる。
【００１９】
また、前記登録情報を前記各放射線画像読取装置においてキャンセルすることにより、例えば、何らかの事情によりその放射線画像読取装置で放射線画像の読み取りを行うことができなくなった場合等に、装置側においてキャンセルすることが可能となり、装置の使用上便利である。この場合、登録情報をキャンセルした装置からそのキャンセルした登録情報を別の装置に送信することができる。
【００２０】
【発明の実施の形態】
以下、本発明による第１〜第３実施の形態について図面を用いて説明する。図１は本発明の各実施の形態における放射線画像撮影読取システムの構成を示す図、図２は図１の受付入力装置の表示部の例を示す図、図３は図１の放射線画像撮影読取装置の表示部の例を示す図（ａ）、及び図１の別の放射線画像撮影読取装置の表示部の例を示す図（ｂ）である。
【００２１】
最初に、図１により、本実施の形態における放射線画像撮影読取システムの構成を説明する。この放射線画像撮影読取システムは、病院の放射線科等の受付事務を行う受付室ａ（図の破線で示す）に設置された受付入力手段としての受付入力装置１０と、患者が立った状態で放射線撮影ができるとともにその撮影した放射線画像を読み取ることのできる第１の立位型の放射線画像撮影読取装置２１と、同様の第２の立位型の放射線画像撮影読取装置２２と、同様の第３の立位型の放射線画像撮影読取装置２３と、各装置１０，２１，２２，２３と接続され患者の登録情報等を記憶できるサーバ１５とを備えている。各装置１０，２１，２２，２３及びサーバ１５は互いに接続されており、登録情報等を送受信することができる。
【００２２】
各放射線画像撮影読取装置２１〜２３は、患者が立った状態で胸部等の放射線撮影を行う撮影部２１ａ，２２ａ，２３ａと、放射線画像の撮影及び放射線画像の読み取りを制御するコントローラ２１ｂ，２２ｂ，２３ｂと、患者の登録情報等を表示する表示部２１ｃ，２２ｃ，２３ｃとを備えている。各放射線画像撮影読取装置２１，２２，２３は、図の破線で示すように、撮影読取室Ａ，Ｂ，Ｃにそれぞれ設置されている。
【００２３】
図１の受付入力装置１０は、受付情報等の所定情報を表示できるＣＲＴ等から構成された表示部１０ａと、この所定情報をキー入力できる入力部１０ｂとを備えている。また、受付入力装置１０には、患者の識別カード等の記録カードを読取開口１７ａに差し込んで記録カードに記憶された受付情報等を読み取るリーダ１７が接続されており、その読み取った情報を受付入力装置１０に取り込むことができるようになっている。
【００２４】
上述の各放射線画像撮影読取装置２１〜２３は、放射線の照射により放射線画像を記録する半導体Ｘ線検出素子を用い、この半導体Ｘ線検出素子に対し放射線を照射し、その後、Ｘ線検出素子に照射された放射線量に応じた電気信号が生成される。この電気信号を読み取ることにより、半導体Ｘ線検出素子から画像情報を読み取り、別の記録媒体に記録することができるように構成されている。この画像情報の読み取り後、半導体Ｘ線検出素子に残る画像情報を消去し、次の放射線照射による画像記録読取に備える。
【００２５】
〈第１の実施の形態〉
上述のような放射線画像撮影読取システムにおける第１の実施の形態について説明する。この実施の形態では、受付入力装置１０が受け付けた患者の登録情報を順にその表示部１０ａに表示し、その登録情報を放射線画像の撮影・読み取りを担当する各装置２１〜２３別にサーバ１５を介して送信し、その担当する患者毎に各表示部２１ｃ〜２３ｃに表示するようになっている。
【００２６】
図２にかかる受付入力装置１０の表示部１０ａの例を示す。表示部１０ａには、受け付けた患者の全てについて患者名９１，患者の識別番号（ＩＤ  Ｎｏ．）９２，撮影部位９３，撮影読取室９４又は、撮影読取装置のＩＤ等がそれぞれ患者毎に表示されるようになっている。
【００２７】
図３（ａ）に第１の放射線画像撮影読取装置２１の表示部２１ｃの例を、図３（ｂ）に第２の放射線画像撮影読取装置２２の表示部２２ｃの例をそれぞれ示す。図３（ａ）のように、表示部２１ｃに放射線画像撮影読取装置２１のある撮影読取室Ａで放射線画像撮影・読取が行われる患者名９１等の登録情報が表示され、また同様に図３（ｂ）のように、表示部２２ｃに放射線画像撮影読取装置２２のある撮影読取室Ｂで放射線画像撮影・読取が行われる患者名９１等の登録情報が表示されるようになっている。
【００２８】
また、各装置２１〜２３において何らかの事情により放線画像の撮影・読取を行わなくなったときには、受付入力装置１０からキャンセル情報がその放射線画像撮影読取装置に送られ、その放射線画像撮影読取装置の表示部から既に受け付けた患者の登録情報が消去されるとともに、その消去された患者の登録情報が別の放射線画像撮影読取装置に送られるようになっている。
【００２９】
キャンセルとは、各放射線画像読取装置において読取を行うことを予定するために行われた患者の登録をキャンセルすることをいう。つまり、各読取装置が読取を予定していたのに対し、予定を取り消すことをいう。
【００３０】
上述のような放射線画像撮影読取システムの動作を説明する。患者が受付室ａで受付を済ませると、受付者は患者の持参した受付情報、例えば、カルテや診察券等に基づいて患者毎の登録情報を入力部１０ｂから受付入力装置１０に入力する。あるいは、患者のＩＤ記録カードをリーダ１７の読み取り開口１７ａに差し込んでその記録情報を読み取ることにより登録情報を入力してもよい。この場合は、受付者を介さずに患者が直接にリーダ１７の読み取り開口１７ａにＩＤ記録カードを差し込んでもよい。この登録情報には、患者の氏名、性別、生年月日、識別（ＩＤ）番号等の患者識別情報、撮影部位、撮影方法及び撮影用半導体Ｘ線検出素子のサイズ等がある。
【００３１】
次に、受付入力装置１０の表示部１０ａに、例えば図２のように全患者の登録情報が表示される一方、各患者の登録情報が受付入力装置１０からサーバ１５に送信され、記憶されて登録される。そして、放射線画像の撮影・読取を担当する各装置２１〜２３に患者毎に登録情報が送信され、各装置２１〜２３の表示部には、例えば図３（ａ），（ｂ）のように、担当する患者の登録情報が表示される。各放射線画像撮影読取装置２１〜２３では、各表示部２１ｃ〜２３ｃに表示された患者の順に放射線画像の撮影・読取を行う。
【００３２】
ここで、例えば図３（ａ）を参照して、放射線画像撮影読取装置２１において、患者「佐藤〇〇」の放射線画像の撮影・読取の前で何らかの事情により放射線画像の撮影・読取を中断せざるを得なくなったとき、受付入力装置１０から装置２１に対し、患者「佐藤〇〇」の登録情報をキャンセルするキャンセル情報が送信され、表示部２１ｃからその登録情報が消去される。そして、受付入力装置１０により、その患者「佐藤〇〇」の登録情報が装置２２に送信され、図３（ｂ）のように装置２２の表示部２２ｃに表示される。このようにして、複数の放射線画像撮影読取装置においていずれかの装置が何らかの事情によりその撮影・読取を実行できなくなっても、他の装置で実行することができるから、簡単に他の装置に変更することができ、放射線画像の撮影・読取を円滑に続行することができる。これにより、受付入力装置１０の表示手段１０ａを見た受付者等が、各装置２１〜２３の稼働状態にあわせて、読取装置を変更できる。また、キャンセルする前に、「キャンセルしたい」と判断するのは、各装置２１〜２３であってもよい。その場合、各装置２１〜２３からキャンセルしたい旨の情報が受付入力装置１０へ送信された後、受付入力装置１０により、各装置２１〜２３の登録情報をキャンセルする。これにより、各装置の事情にあわせることが可能である。
【００３３】
そして、放射線画像の撮影が行われてから、半導体Ｘ線検出素子からの画像情報の読み取りが行われ、患者の登録情報が同時に読み取られる。その後、その登録情報をその画像情報の記録が行われるフィルム等の記録媒体に記録することができる。これにより、その画像情報と患者情報とを対応させることができ、記録後のフィルムを識別できる。
【００３４】
なお、上述のような撮影・読み取りを行う装置の変更があると、受付入力装置１０の表示部１０ａの表示を、例えば図２，図３の例では患者「佐藤〇〇」の撮影読取室９４の表示を「Ａ」から「Ｂ」に変更するようにしてもよい。また、キャンセルされた患者の登録情報は、元の装置の表示部において消去するのではなく、反転表示等をしてその表示態様を変えるようにしてもよい。
【００３５】
〈第２の実施の形態〉
図１の放射線画像撮影読取システムにおける第２の実施の形態について説明する。この実施の形態では、各放射線画像撮影読取装置２１〜２３において一旦受け付けた患者の登録情報を各装置側の判断によりキャンセルできるようにしたものである。
【００３６】
動作を説明すると、例えば図２を参照して、放射線画像撮影読取装置２１において何らかの事情により放射線画像の撮影・読取を患者「佐藤〇〇」以降から続行できなくなったときに、その装置２１は、表示部２１ｃから例えば図３（ａ）において患者「佐藤〇〇」の登録情報を消去するとともに、受付入力装置１０にそのキャンセル情報を送信する。そして、受付入力装置１０から他の装置２２にそのキャンセルした患者の登録情報を送信し、図３（ｂ）のように装置２２の表示部２２ｃに表示する。
【００３７】
以上のようにして、複数の放射線画像撮影読取装置においていずれかの装置が何らかの事情によりその撮影・読取を実行できなくなった場合、その装置においてその実行できなくなったことを判断し、他の装置に登録情報を送信してその装置で実行するようにできるから、かかる変更を簡単に行うことができ、放射線画像の撮影・読取を円滑に続行することができる。他は、第１の実施の形態と同様にして放射線画像の撮影・読取が行われる。
【００３８】
〈第３の実施の形態〉
図１の放射線画像撮影読取システムにおける第３の実施の形態について説明する。この実施の形態では、各放射線画像撮影読取装置２１〜２３においてサーバ１５に登録された患者の登録情報を選択し、その各装置２１〜２３の表示部にその選択された患者の登録情報を表示し、そして一旦受け付けた患者の登録情報を各装置側の判断によりキャンセルできるようにし、そのキャンセルした患者の登録情報をその装置から他の装置に送信するようにしたものである。
【００３９】
動作を説明すると、例えば図２を参照して、放射線画像撮影読取装置２１において何らかの事情により放射線画像の撮影・読取を患者「佐藤〇〇」以降から続行できなくなったときに、その装置２１は、表示部２１ｃから例えば図３（ａ）において患者「佐藤〇〇」の登録情報を消去するとともに、装置２１から装置２２にそのキャンセルした患者の登録情報を送信し、図３（ｂ）のように装置２２の表示部２２ｃに表示する。
【００４０】
以上のようにして、複数の放射線画像撮影読取装置においていずれかの装置が何らかの事情によりその撮影・読取を実行できなくなった場合、その装置においてその実行できなくなったことを判断し、その装置から直接に他の装置に登録情報を送信してその装置で実行するようにできるから、かかる変更を簡単に行うことができ、放射線画像の撮影・読取を円滑に続行することができる。他は、第１の実施の形態と同様にして放射線画像の撮影・読取が行われる。
【００４１】
〈第４の実施の形態〉
図１の放射線画像撮影システムにおける第４の実施の形態ついて説明する。本実施形態では、放射線画像撮影システムの複数の放射線画像撮影・読取装置２１〜２３のうちの少なくとも１つから他の撮影・読取装置２１〜２３に登録されている登録情報をキャンセルする例である。以下、その動作について説明する。
【００４２】
各放射線画像撮影・読取装置の各表示手段２１ｃ〜２３ｃには、各放射線画像撮影・読取装置２１〜２３が撮影・読み取りを行う冠者の登録情報が表示されているとともに、他の装置２１〜２３が撮影・読み取りを行う患者の登録情報も表示されている。
【００４３】
放射線画像撮影・読取装置２２において、例えば、撮影・読み取りを行うべき全患者について、撮影・読み取りを終えてしまった等、他の装置が撮影・読み取りを予定している患者の撮影・読み取りを行ってもよいという状態になったとする。このような場合、放射線画像撮影・読取装置２２の放射線技師は、表示手段２２ｃにおいて、他の装置２２および２３で撮影・読み取りを行う患者の登録情報を見て、他の装置２２および２３で撮影・読み取りを行う患者の登録情報から所望の登録情報をキャンセルし、キャンセルした登録情報を、キャンセルされた装置２２または２３から送信してもらい、新たに撮影・読取装置２１で撮影・読み取りを行う患者の登録情報として登録することができる。
【００４４】
このようにすることにより、各装置の稼働状態と他の装置の稼働状態の両方を考慮した上で、他の装置で撮影・読み取りを予定している患者の撮影・読み取りを行うことが可能となる。これにより、システムでの撮影・読み取りの効率化を簡単な構成で実現することができる。
【００４５】
以上の各実施形態では、放射線画像撮影・読取装置２１〜２３が全て立位型であったが、これに限らない。
【００４６】
さらに、キャンセルされた登録情報をどこの放射線画像撮影・読取装置に送信するかは、登録情報に含まれる撮影部位に応じて決定することができる。これにより、撮影・読み取りの効率化を図れるとともに放射線画像撮影・読取装置の特性に応じた撮影・読み取りを行うことが可能となる。
【００４７】
同様に、他の装置の登録情報をキャンセルする場合にも、登録情報に含まれる撮影部位に応じてどの登録情報をキャンセルし、登録情報を送信してもらうかを決定することができる。これにより、撮影・読み取りの効率化を図れるとともに放射線画像撮影・読取装置の特性に応じた撮影・読み取りを行うことが可能となる。
【００４８】
以上のように、本発明を各実施の形態により説明したが、本発明はこれらに限定されるものではなく、本発明の技術的思想の範囲内で種々の変形が可能である。例えば、半導体Ｘ線検出素子から放射線画像の読み取りを行う以外に、例えば、ＣＣＤ等の撮像素子を用いて放射線画像を読み取るようにしてもよい。また、放射線画像撮影読取装置が放射線画像の読取だけを行う放射線画像読取装置であってもよく、この場合は、システムが放射線画像読取システムとして構成される。
【００４９】
【発明の効果】
本発明によれば、放射線画像読取システムにおいて複数の放射線画像読取装置を設置した場合、各装置がいったん受け付けた患者の放射線画像の読み取りができなくなっても、他の装置への変更を円滑に簡単に行なうことができる放射線画像読取システム及び放射線画像読取方法を提供できる。
【図面の簡単な説明】
【図１】図１は本発明の各実施の形態における放射線画像撮影読取システムの構成を示す図である。
【図２】図１の受付入力装置の表示部の例を示す図である。
【図３】図１の放射線画像撮影読取装置の表示部の例を示す図（ａ）、及び図１の別の放射線画像撮影読取装置の表示部の例を示す図（ｂ）である。
【符号の説明】
１０                      受付入力装置（受付入力手段）
１０ａ                    表示部
１５                      サーバ
２１，２２，２３          第１〜第３の放射線画像撮影読取装置
２１ｃ，２１ｃ，２３ｃ    表示部
【図１】
0003931516.tif 000002
【図２】
0003931516.tif 000003
【図３】
0003931516.tif 000004